(57)【要約】  【課題】本発明は、報知すべきコードの総数が増加されたとしても、機器のコストやサイズを増大させることなく、該コードを分かりやすく報知することが可能な電子機器を提供することを目的とする。  【解決手段】本発明に係る電子機器は、Ｘ進数Ｎ桁（Ｘ≧２、Ｎ≧２）のコードを報知する手段として、第１、第２ＬＥＤ１２ａ、１２ｂと、各ＬＥＤの点消灯制御を行う制御部と、を有して成り、前記制御部は、前記コードの桁変わり毎に点滅させるＬＥＤを切り替えつつ、第１、第２ＬＥＤの一方のみを各桁の値に応じて点滅させる構成としている。【選択図】      図４
2005212330.tif 000002
【特許請求の範囲】
【請求項１】
Ｘ進数Ｎ桁（Ｘ≧２、Ｎ≧２）のコードを報知する手段として、少なくとも２つの発光部と、各発光部の点消灯制御を行う制御部と、を有して成り、前記制御部は、前記コードの桁変わり毎に点滅させる発光部を切り替えつつ、複数ある前記発光部のいずれか一つのみを各桁の値に応じて点滅させることを特徴とする電子機器。
【請求項２】
前記制御部は、前記コードの報知開始に際し、上記と異なる点消灯パターンで複数ある前記発光部の少なくとも１つを点滅させることを特徴とする請求項１に記載の電子機器。
【請求項３】
Ｘ進数Ｎ桁（Ｘ≧２、Ｎ≧２）のコードを報知する手段として、少なくとも２つの発光色を備えた発光部と、該発光部の点消灯制御及び発光色制御を行う制御部と、を有して成り、前記制御部は、前記コードの桁変わり毎に前記発光部の発光色を切り替えつつ、該発光部を各桁の値に応じて点滅させることを特徴とする電子機器。
【請求項４】
前記発光部は、ゼロ値を表すゼロ値発光色を備えており、前記制御部は、報知しようとする桁の値がゼロ値である場合、前記ゼロ値発光色で前記発光部を点滅させることを特徴とする請求項４に記載の電子機器。
【請求項５】
前記制御部は、前記コードの報知開始を表すスタート発光色を備えており、前記コードの報知開始に際し、前記スタート発光色で前記発光部を点滅させることを特徴とする請求項３または請求項４に記載の電子機器。
【請求項６】
前記コードの報知は反復継続されることを特徴とする請求項１〜請求項５のいずれかに記載の電子機器。
【発明の詳細な説明】
【技術分野】
【０００１】
本発明は、機器の故障状態等をＸ進数Ｎ桁（Ｘ≧２、Ｎ≧２）のメッセージコードで報知する機能を備えた電子機器に関するものである。
【背景技術】
【０００２】
従来より、複数個の発光ダイオード（以下、ＬＥＤ［Light Emitting Diode］と呼ぶ）を用いて機器の故障内容を２進数のメッセージコードで報知する電子機器が開示・提案されている（例えば、特許文献１を参照）。なお、上記構成から成る電子機器のＬＥＤは、各々の点消灯状態から２進数のメッセージコードを直接読み取れるように、その桁数分だけ一列に並べて形成されていた。
【特許文献１】特開平８−３３００６２号公報
【発明の開示】
【発明が解決しようとする課題】
【０００３】
確かに、上記構成から成る電子機器であれば、ユーザやサービスマンに対して機器の故障有無だけでなく、その内容まで切り分けて報知することができるので、修理時間の短縮に貢献することが可能である。
【０００４】
しかしながら、上記構成から成る電子機器では、報知すべきメッセージコードの総数が増加されると、その桁数増大に従って多くのＬＥＤが必要となり、コストアップや占有スペースの増大が招かれる、という課題があった。特に、メッセージコードを２進法で報知する上記構成では、機器内部での信号処理が容易な反面、１０通り程度のメッセージコードを報知するだけでも４個（４桁分）のＬＥＤが必要であり、上記課題が顕著であった。
【０００５】
一方、報知しようとするメッセージコードに応じた回数分だけ単一のＬＥＤを点滅させる構成であれば、どれだけコード総数が増加されても、ＬＥＤの設置数増大を招くことなく全てのメッセージコードを報知することが可能である。しかしながら、このような構成では、メッセージコードの報知に際して、単一のＬＥＤが多数かつ長時間に亘って点滅されることになるため、ユーザにとって情報が読み取りにくくなる、という課題があった。
【０００６】
本発明は、上記の問題点に鑑み、報知すべきコードの総数が増加されたとしても、機器のコストやサイズを増大させることなく、該コードを分かりやすく報知することが可能な電子機器を提供することを目的とする。
【課題を解決するための手段】
【０００７】
上記目的を達成するために、本発明に係る電子機器は、Ｘ進数Ｎ桁（Ｘ≧２、Ｎ≧２）のコードを報知する手段として、少なくとも２つの発光部と、各発光部の点消灯制御を行う制御部と、を有して成り、前記制御部は、前記コードの桁変わり毎に点滅させる発光部を切り替えつつ、複数ある前記発光部のいずれか一つのみを各桁の値に応じて点滅させる構成としている。
【０００８】
なお、上記構成から成る電子機器において、前記制御部は、前記コードの報知開始に際し、上記と異なる点消灯パターンで複数ある前記発光部の少なくとも１つを点滅させる構成にするとよい。
【０００９】
また、本発明に係る電子機器は、Ｘ進数Ｎ桁（Ｘ≧２、Ｎ≧２）のコードを報知する手段として、少なくとも２つの発光色を備えた発光部と、該発光部の点消灯制御及び発光色制御を行う制御部と、を有して成り、前記制御部は、前記コードの桁変わり毎に前記発光部の発光色を切り替えつつ、該発光部を各桁の値に応じて点滅させる構成としている。
【００１０】
なお、上記構成から成る電子機器において、前記発光部は、ゼロ値を表すゼロ値発光色を備えており、前記制御部は、報知しようとする桁の値がゼロ値である場合、前記ゼロ値発光色で前記発光部を点滅させる構成にするとよい。
【００１１】
また、上記構成から成る電子機器において、前記制御部は、前記コードの報知開始を表すスタート発光色を備えており、前記コードの報知開始に際し、前記スタート発光色で前記発光部を点滅させる構成にするとよい。
【００１２】
また、上記構成から成る電子機器において、前記コードの報知は反復継続される構成にするとよい。
【発明の効果】
【００１３】
上記したように、本発明に係る電子機器であれば、本発明は、報知すべきコードの総数が増加されたとしても、機器のコストやサイズを増大させることなく、該コードを分かりやすく報知することが可能となる。
【発明を実施するための最良の形態】
【００１４】
以下では、コストダウンの追及が最優先課題とされる低セグメント向けのレーザプリンタに本発明を適用した場合を例に挙げて説明を行う。
【００１５】
図１は本発明に係るプリンタのシステム構成を示すブロック図であり、図２はその概略斜視図である。両図に示す通り、本発明に係るプリンタは、装置全体の動作を制御する中央演算処理部１０（以下、ＣＰＵ［Central Processing Unit］１０と呼ぶ）と、装置の故障状態等を検知する状態検知部１１と、該状態検知部１１で得られた検知結果に応じてＸ進数Ｎ桁（Ｘ≧２、Ｎ≧２）のメッセージコードを報知する表示部１２（第１、第２ＬＥＤ１２ａ、１２ｂ）と、ユーザ操作を受け付ける操作部１３（ゴーキー１３ａとキャンセルキー１３ｂ）と、画像データに基づいて用紙上に画像を形成する画像形成部１４（プリンタヘッドや感光ドラムなど）と、該画像形成部１４で得られた画像に熱を加えて定着させる定着部１５と、情報処理装置（ＰＣ［Personal Computer］など）が接続されるＰＣ接続部１６と、情報（制御プログラムや前記画像データなど）の格納・展開領域として用いられるメモリ部１７と、を有して成る。
【００１６】
なお、メモリ部１７の仕様は、揮発性でも不揮発性でも構わないが、上記のメッセージコードを履歴として残しておくのであれば不揮発性とする方が望ましい。また、ＰＣはネットワーク（社内ＬＡＮ［Local Area Network］など）を介して接続されても構わない。
【００１７】
以下では、上記構成から成るプリンタのメッセージコード報知処理について説明する。
【００１８】
まず、図３並びに図４を参照しながら、メッセージコード報知処理の第１実施形態について説明する。図３はメッセージコード報知処理の第１実施形態を示すフローチャートである。なお、本フローチャートでは、Ｘ進数Ｎ桁（Ｘ≧２、Ｎ≧２）のメッセージコード（aN-1×XN-1＋…＋ai×Xi＋…＋a1×X1＋a0×X0）を報知する際の処理が示されている。図４は第１、第２ＬＥＤ１２ａ、１２ｂの点滅パターンの一例（１６進数２桁のメッセージコード「２３」を報知する際の点滅パターン）を示す模式図である。なお、本図において、黒塗りマークはＬＥＤが１単位時間だけ消灯状態であることを示しており、白抜きマークはＬＥＤが１単位時間だけ点灯状態であることを示している。
【００１９】
図３に示すように、本実施形態のメッセージコード報知処理では、まず、ステップＳ１−１にて、第１、第２ＬＥＤ１２ａ、１２ｂを用いたスタートメッセージの表示が行われる。すなわち、ＣＰＵ１０は、メッセージコードの報知開始に際し、後述するメッセージコード報知中とは異なる点消灯パターン（図４では、第１、第２ＬＥＤ１２ａ、１２ｂを共に７単位時間点灯後、３単位時間消灯）で第１、第２ＬＥＤ１２ａ、１２ｂを点滅させる。このような表示が行われることにより、当該表示を見たユーザやサービスマンは、今からメッセージコードの報知が開始されることを認識することができる。
【００２０】
スタートメッセージの表示が完了すると、ステップＳ１−２では、点灯ＬＥＤの初期設定が行われる。なお、本実施形態では、最初に点滅させるＬＥＤとして、第１ＬＥＤ１２ａが選択される。
【００２１】
点灯ＬＥＤの初期設定が完了すると、ステップＳ１−３では、現在メッセージコードの何桁目の値を報知しているかを示す桁番号ｉ（０≦ｉ≦Ｎ−１）のリセットが行われる。なお、本実施形態では、上位桁から下位桁へ報知を進めるべく、桁番号ｉは最上位桁を示す（Ｎ−１）に設定される。
【００２２】
桁番号ｉのリセットが完了すると、ステップＳ１−４では、現在までにＬＥＤが何回点滅されたかを示す点滅回数Ｐのリセット（Ｐ←０）が行われる。
【００２３】
点滅回数Ｐのリセットが完了すると、ステップＳ１−５では、現在選択中のＬＥＤが１回点滅され、続くステップＳ１−６では、点滅回数Ｐに１が加算される（Ｐ←Ｐ＋１）。
【００２４】
その後、ステップＳ１−７では、点滅回数Ｐが現在報知中であるｉ桁目の値ａiに達したか否かの判定が行われる。ここで、点滅回数Ｐがｉ桁目の値ａiに達したと判定された場合、フローは続くステップＳ１−８に進められる。一方、点滅回数Ｐがｉ桁目の値ａiに達していないと判定された場合、フローは再びステップＳ１−５に戻され、ＬＥＤの点滅処理が継続される。すなわち、ステップＳ１−５〜ステップＳ１−７のループ処理により、現在選択中のＬＥＤがａi回だけ点滅（図４では第１ＬＥＤ１２ａが２回だけ点滅）されることになる。
【００２５】
ステップＳ１−７で点滅回数Ｐが現在報知中であるｉ桁目の値ａiに達したと判定された場合、ステップＳ１−８では、点灯ＬＥＤの変更が行われる。なお、本実施形態では、点灯ＬＥＤが第１ＬＥＤ１２ａから第２ＬＥＤ１２ｂに変更される。
【００２６】
点灯ＬＥＤの変更が完了すると、ステップＳ１−９では、報知対象となる桁を１つ下位桁へ切り替えるべく、桁番号ｉから１が減算される（ｉ←ｉ−１）。
【００２７】
桁番号ｉの減算が完了すると、ステップＳ１−１０では、桁番号ｉが最下位桁を示す０を下回っているか否かの判定が行われる。ここで、桁番号ｉが０を下回っていないと判定された場合、フローは再びステップＳ１−４に戻されて点滅回数Ｐがリセットされ、その後のループ処理（ステップＳ１−５〜Ｓ１−７）によって、現在選択中のＬＥＤがａi回だけ点滅（図４では第２ＬＥＤ１２ｂが３回だけ点滅）されることになる。
【００２８】
以後も同様に、メッセージコードの全ての桁に亘ってＬＥＤの点滅処理が完了するまで上記した一連の処理が繰り返される。これにより、各ＬＥＤ１２ａ、１２ｂの各点消灯パターンから、Ｘ進数Ｎ桁（Ｘ≧２、Ｎ≧２）のメッセージコード（図４では１６進数２桁のメッセージコード「２３」）が表現される。
【００２９】
上記のように、本実施形態のプリンタ１は、Ｘ進数Ｎ桁（Ｘ≧２、Ｎ≧２）のメッセージコードを報知する手段として、第１、第２ＬＥＤ１２ａ、１２ｂと、各ＬＥＤの点消灯制御を行うＣＰＵ１０と、を有して成り、ＣＰＵ１０は、メッセージコードの桁変わり毎に点滅させるＬＥＤを切り替えつつ、第１、第２ＬＥＤ１２ａ、１２ｂの一方のみを各桁の値に応じて点滅させる構成としている。
【００３０】
このような構成とすることにより、第１、第２ＬＥＤ１２ａ、１２ｂの切り替えによって桁変わりを表現することができるので、報知すべきメッセージコードの総数が増加されたとしても、ＬＥＤの設置数を増やして機器のコストやサイズを増大させることなく、該メッセージコードを分かりやすく報知することが可能となる。
【００３１】
また、本実施形態では、ステップＳ１−１０にて桁番号ｉが０を下回っていると判定された場合、メッセージコードの全ての桁に亘ってＬＥＤの点滅処理が完了し、該メッセージコードの報知が１通り完了したという判断の下、フローは再びステップＳ１−１に戻され、もう一度初めからメッセージコード報知処理が繰り返される。このように、メッセージコードの報知を反復継続する構成とすることにより、ユーザやサービスマンは、各ＬＥＤ１２ａ、１２ｂの点滅表示を一度見落としたとしても、次の回に再びメッセージコードの読取りを試みることが可能となる。
【００３２】
なお、本実施形態では、上記したメッセージコードの反復表示毎に、ステップＳ１−１におけるスタートメッセージの表示が行われるため、前後回の点滅表示が連続することによるメッセージコードの錯綜を招くおそれはない。
【００３３】
また、上記したメッセージコードの報知処理は、状態検知部１１で検知される装置状態（故障状態や給電状態など）に変化があるまで継続されるものであり、該装置状態に変化がみられた時点で、上記したいずれのステップからでもフローは終了される。
【００３４】
次に、図５並びに図６を参照しながら、メッセージコード報知処理の第２実施形態について説明する。なお、本実施形態のメッセージコード報知処理は、表示部１２として、第１、第２ＬＥＤ１２ａ、１２ｂに代え、４つの発光色を備えた第３ＬＥＤ１２ｃ（図示は省略）を設けた場合に適用し得るものである。
【００３５】
図５はメッセージコード報知処理の第２実施形態を示すフローチャートである。なお、本フローチャートでは、前述の第１実施形態と同様、Ｘ進数Ｎ桁（Ｘ≧２、Ｎ≧２）のメッセージコード（aN-1×XN-1＋…＋ai×Xi＋…＋a1×X1＋a0×X0）を報知する際の処理が示されている。図６は第３ＬＥＤ１２ｃの点滅パターンの一例（１６進数３桁のメッセージコード「２０３」を報知する際の点滅パターン）を示す模式図である。なお、本図において黒塗りマークはＬＥＤが１単位時間だけ消灯状態であることを示している。また、ＡマークはＬＥＤが１単位時間だけ第１発光色（例えば赤色）で点灯状態であることを示しており、ＢマークはＬＥＤが１単位時間だけ第２発光色（例えば青色）で点灯状態であることを示している。また、ＳマークはＬＥＤが１単位時間だけ、メッセージコードの報知開始を表すスタート発光色（例えば緑色）で点灯状態であることを示しており、ＺマークはＬＥＤが１単位時間だけ、ゼロ値を表すゼロ値発光色（例えば黄色）で点灯状態であることを示している。
【００３６】
図５に示すように、本実施形態のメッセージコード報知処理では、まず、ステップＳ２−１にて、スタート発光色を用いたスタートメッセージの表示が行われる。すなわち、ＣＰＵ１０は、メッセージコードの報知開始に際し、後述するメッセージコード報知中では用いないスタート発光色で、メッセージコード報知中とは異なる点消灯パターン（図６では７単位時間点灯後に３単位時間消灯）により、第３ＬＥＤ１２ｃを点滅させる。このような表示が行われることにより、当該表示を見たユーザやサービスマンは、今からメッセージコードの報知が開始されることを認識することができる。
【００３７】
スタートメッセージの表示が完了すると、ステップＳ２−２では、発光色の初期設定が行われる。なお、本実施形態では、最初の発光色として、第１発光色が選択される。
【００３８】
発光色の初期設定が完了すると、ステップＳ２−３において、現在メッセージコードの何桁目の値を報知しているかを示す桁番号ｉ（０≦ｉ≦Ｎ−１）のリセットが行われる。なお、本実施形態では、上位桁から下位桁へ報知を進めるべく、桁番号ｉは最上位桁を示す（Ｎ−１）に設定される。
【００３９】
桁番号ｉのリセットが完了すると、ステップＳ２−４では、現在までにＬＥＤが何回点滅されたかを示す点滅回数Ｐのリセット（Ｐ←０）が行われる。
【００４０】
点滅回数Ｐのリセットが完了すると、ステップＳ２−５では、報知しようとするｉ桁目の値ａiがゼロ値でないか否かの判定が行われる。ここで、ｉ桁目の値ａiがゼロ値でないと判定された場合には、フローがステップＳ２−６に進められ、ゼロ値であると判定された場合には、フローがステップＳ２−１２に進められる。なお、図６の場合には、最上位桁が「２」であるため、フローはステップＳ２−６に進められる。
【００４１】
ステップＳ２−５でｉ桁目の値ａiがゼロ値でないと判定された場合、ステップＳ２−６では、第３ＬＥＤ１２ｃが第１発光色で１回点滅され、続くステップＳ２−７では、点滅回数Ｐに１が加算される（Ｐ←Ｐ＋１）。
【００４２】
その後、ステップＳ２−８では、点滅回数Ｐが現在報知中であるｉ桁目の値ａiに達したか否かの判定が行われる。ここで、点滅回数Ｐがｉ桁目の値ａiに達したと判定された場合、フローは続くステップＳ２−９に進められる。一方、点滅回数Ｐがｉ桁目の値ａiに達していないと判定された場合、フローは再びステップＳ２−６に戻され、ＬＥＤの点滅処理が継続される。すなわち、ステップＳ２−６〜ステップＳ２−８のループ処理により、第３ＬＥＤ１２ｃが第１発光色でａi回だけ点滅（図６では２回だけ点滅）されることになる。
【００４３】
ステップＳ２−８で点滅回数Ｐが現在報知中であるｉ桁目の値ａiに達したと判定された場合、ステップＳ２−９では、発光色の変更が行われる。なお、本実施形態では、発光色が第１発光色から第２発光色に変更される。
【００４４】
発光色の変更が完了すると、ステップＳ２−１０では、報知対象となる桁を１つ下位桁へ切り替えるべく、桁番号ｉから１が減算される（ｉ←ｉ−１）。
【００４５】
桁番号ｉの減算が完了すると、ステップＳ２−１１では、桁番号ｉが最下位桁を示す０を下回っているか否かの判定が行われる。ここで、桁番号ｉが０を下回っていないと判定された場合、フローは再びステップＳ２−４に戻されて点滅回数Ｐがリセットされ、ステップＳ２−５におけるゼロ値判定が行われる。なお、図６の場合には、第２桁が「０」であるため、フローはステップＳ２−１２に進められる。
【００４６】
ステップＳ２−５でｉ桁目の値ａiがゼロ値であると判定された場合、ステップＳ２−１２では、第３ＬＥＤ１２ｃがゼロ値発光色で１回点滅され、その後フローはステップＳ２−１０にスキップされる。このように、第３ＬＥＤ１２ｃにゼロ値を表すゼロ値発光色を設けておき、報知しようとする桁の値がゼロ値である場合には該ゼロ値発光色で第３ＬＥＤ１２ｃを点滅させる構成とすることにより、各桁にゼロ値が含まれているメッセージコード（特に、ゼロ値の連続が想定される２進数Ｎ桁のメッセージコード）も分かりやすく報知することが可能となる。
【００４７】
以後も同様に、メッセージコードの全ての桁に亘ってＬＥＤの点滅処理が完了するまで上記した一連の処理が繰り返される。これにより、第３ＬＥＤ１２ｃの点消灯パターンから、Ｘ進数Ｎ桁（Ｘ≧２、Ｎ≧２）のメッセージコード（図６では１６進数３桁のメッセージコード「２０３」）が表現される。
【００４８】
上記のように、本実施形態のプリンタ１は、Ｘ進数Ｎ桁（Ｘ≧２、Ｎ≧２）のメッセージコードを報知する手段として、少なくとも２つの発光色を備えた第３ＬＥＤ１２ｃと、該ＬＥＤ１２ｃの点消灯制御及び発光色制御を行うＣＰＵ１０と、を有して成り、ＣＰＵ１０は、メッセージコードの桁変わり毎に第３ＬＥＤ１２ｃの発光色を切り替えつつ、該ＬＥＤ１２ｃを各桁の値に応じて点滅させる構成としている。
【００４９】
このような構成とすることにより、第３ＬＥＤ１２ｃの発光色によって桁変わりを表現することができるので、報知すべきメッセージコードの総数が増加されたとしても、単一の第３ＬＥＤ１２ｃだけでメッセージコードを分かりやすく報知することが可能となる。また、前述した通り、各桁にゼロ値が含まれているメッセージコードの報知にも適用することも可能となる。
【００５０】
なお、本実施形態では、前述の第１実施形態と同様、ステップＳ２−１１にて桁番号ｉが０を下回っていると判定された場合には、フローが再びステップＳ２−１に戻され、もう一度初めからメッセージコード報知処理が繰り返される。従って、ユーザやサービスマンは、第３ＬＥＤ１２ｃの点滅表示を一度見落としたとしても、次の回に再びメッセージコードの読取りを試みることが可能となる。
【００５１】
また、本実施形態でも、上記したメッセージコードの反復表示毎に、ステップＳ２−１におけるスタートメッセージの表示が行われるため、前後回の点滅表示が連続することによるメッセージコードの錯綜を招くおそれはない。
【００５２】
また、上記したメッセージコードの報知処理は、状態検知部１１で検知される装置状態（故障状態や給電状態など）に変化があるまで継続されるものであり、該装置状態に変化がみられた時点で、上記したいずれのステップからでもフローは終了される。
【００５３】
以上、上記の実施形態では、本発明をプリンタに適用した場合を例に挙げて説明を行ったが、本発明の適用対象はこれに限定されるものではなく、機器の故障状態等をＸ進数Ｎ桁（Ｘ≧２、Ｎ≧２）のメッセージコードで報知する機能を備えた電子機器全般に広く適用することが可能である。
【００５４】
また、上記の実施形態では、発光部としてＬＥＤを用いた場合を例示して説明を行ったが、本発明の構成はこれに限定されるものではなく、その他のいかなる発光素子を用いても構わない。
【００５５】
また、上記の実施形態では、２つの発光部でメッセージコードを報知する構成を例に挙げて説明を行ったが、本発明の構成はこれに限定されるものではなく、より多くの発光部（例えば、各桁毎に１つずつの発光部）を設けても構わない。
【産業上の利用可能性】
【００５６】
本発明は、コストダウンの追及が最優先課題とされる低セグメント向けの電子機器におけるコード表示（エラーコードの表示など）に関して有用な技術である。
【図面の簡単な説明】
【００５７】
【図１】は、本発明に係るプリンタのシステム構成を示すブロック図である。
【図２】は、本発明に係るプリンタの概略斜視図である。
【図３】は、メッセージコード報知処理の第１実施形態を示すフローチャートである。
【図４】は、第１、第２ＬＥＤ１２ａ、１２ｂの点滅パターンの一例を示す図である。
【図５】は、メッセージコード報知処理の第２実施形態を示すフローチャートである。
【図６】は、ＬＥＤ１２ｃの点滅パターンの一例を示す図である。
【符号の説明】
【００５８】
１    プリンタ
１０    中央演算処理部（ＣＰＵ）
１１    状態検知部
１２    表示部
１２ａ、１２ｂ    第１、第２ＬＥＤ
１２ｃ    第３ＬＥＤ（発光色可変）
１３    操作部
１３ａ    ゴーキー
１３ｂ    キャンセルキー
１４    画像形成部
１５    定着部
１６    ＰＣ接続部
１７    メモリ部
【図１】
2005212330.tif 000003
【図２】
2005212330.tif 000004
【図３】
2005212330.tif 000005
【図４】
2005212330.tif 000006
【図５】
2005212330.tif 000007
【図６】
2005212330.tif 000008